(57)【要約】【課題】使い切った後に、内容物を再度充填できないようにするための二重容器の密封キャップ及びそれを備える二重容器を提供する。【解決手段】本発明は、内容物の取出しに応じて収縮する内層体11と、内層体11を収納する外層体12からなる積層ブロー成形ボトル10の口筒部12aに取り付けられる密封キャップ1である。密封キャップ1は、口筒部12aに固定される隔壁3及び当該隔壁3から一体に起立する筒体部4で構成された中栓1Aと、中栓1Aの筒体部4を取り外し可能に密封する密封栓1Bを備える。密封栓1Bは、筒体部4に取り外し可能に嵌合する栓体8に連結片7bを介してプルリング7cを一体に設けたものである。【選択図】図３
2014069871.tif 000002
【特許請求の範囲】
【請求項１】
内容物の取出しに応じて収縮する内層体と、内層体を収納する外層体からなる二重容器の口筒部に取り付けられる二重容器の密封キャップであって、
当該密封キャップは、口筒部に固定される隔壁及び当該隔壁から一体に起立する筒体部で構成された中栓と、当該中栓の筒体部を取り外し可能に密封する密封栓を備えるものである、二重容器の密封キャップ。
【請求項２】
請求項１において、前記隔壁に、筒体部に通じるパイプ装着用の装着筒が設けられた二重容器の密封キャップ。
【請求項３】
請求項１又は２において、前記密封栓は、筒体部に取り外し可能に嵌合する栓体に連結片を介してプルリングを一体に設けたものである、二重容器の密封キャップ。
【請求項４】
請求項１乃至３のいずれか１項に記載の密封キャップを二重容器の口筒部に固定してなる、密封キャップを備える二重容器。
【請求項５】
請求項１乃至４のいずれか１項において、前記二重容器は、剥離可能な内層を有する積層ブロー成形容器である、密封キャップを備える二重容器。
【発明の詳細な説明】
【技術分野】
【０００１】
本発明は、使用済みの二重容器に、内容物を再度充填させることを防止するための技術に関するものである。
【背景技術】
【０００２】
二重容器としては、例えば、外層体の内側に内層体が密着して内容物の充填空間を形成する一方、容器に取り付けられたポンプなどを用いて内容物を取り出すと、内層体が外層体の内側から剥離して収縮することで、内容物の効率的な取出しが可能になるブロー成形容器が知られている（例えば、特許文献１参照）。
【先行技術文献】
【特許文献】
【０００３】
【特許文献１】特開平８−５２７９０号公報
【発明の概要】
【発明が解決しようとする課題】
【０００４】
こうした二重容器は使い切りを前提とし、そのまま廃棄することが通常である。また、内層体は、内容物の減少とともに収縮していくため、一般的には、内容物の詰め替え等は困難である。
【０００５】
しかしながら、本願発明者は、使い切った後に内層体を膨らませて復元させると、内容物の詰め替え等が可能になることを認識するに至った。
この場合、内層体が完全に復元しない状態で内容物が注ぎ込まれると、容器の口部から内容物が溢れて周囲を汚してしまうことが考えられ、また、別の種類の内容物が注ぎ込まれると容器内に残っていた内容物と混ざり合って品質劣化等を引き起こすおそれがある。
【０００６】
本発明の目的とするところは、使い切った後に、内容物を再度充填できないようにするための二重容器の密封キャップ及び、それを備える二重容器を提供することにある。
【課題を解決するための手段】
【０００７】
本発明である、二重容器の密封キャップは、内容物の取出しに応じて収縮する内層体と、内層体を収納する外層体からなる二重容器の口筒部に取り付けられる二重容器の密封キャップであって、
当該密封キャップは、口筒部に固定される隔壁及び当該隔壁から一体に起立する筒体部で構成された中栓と、当該中栓の筒体部を取り外し可能に密封する密封栓を備えるものである。
【０００８】
本発明に従う、密封キャップは、前記隔壁に、筒体部に通じるパイプ装着用の装着筒を設けることが好ましい。また、前記密封栓は、筒体部に取り外し可能に嵌合する栓体に連結片を介してプルリングを一体に設けたものとすることができる。
【０００９】
本発明に従う、密封キャップは、内層体と外層体を別体として組み付けた二重容器、内層体と外層体をそれぞれ、内層及び外層として、一体にブロー成形してなる二重容器のいずれにも採用できるが、本発明では、剥離可能な内層を有する積層ブロー成形容器に採用することが好ましい。
【００１０】
また、本発明である、密封キャップを備える二重容器は、上記密封キャップを二重容器の口筒部に固定してなるものである。このとき、前記二重容器は、内層体と外層体を別体として組み付けた二重容器、内層体と外層体を内層及び外層として、一体にブロー成形してなる二重容器のいずれも選択できるが、本発明では、剥離可能な内層を有する積層ブロー成形容器であることが好ましい。
【発明の効果】
【００１１】
本発明の密封キャップは、口筒部に固定される隔壁から筒体部を起立させ、その内側に形成された通路を二重容器（内層体）に通じさせることで、内層体に充填された内容物の流路面積が小さくなる。このため、内容物を再充填するときに、内層体と外界との空気置換が困難になる。従って、内容物を使い切った後の詰め替え等を防止することができる。同様に、こうした密封キャップを備える二重容器も、使い切った後の内容物の詰め替え等を防止することができる。
【図面の簡単な説明】
【００１２】
【図１】本発明に従う、密封キャップを備えるブロー成形ボトルをトリガー式ポンプとともに一部断面で示す分解側面図である。
【図２】同ブロー成形ボトルの底面図である。
【図３】同密封キャップに係る密封栓の平面図とともに示す図１の拡大図である。
【図４】内容物を使い切った後の同キャップ付きブロー成形ボトルの拡大断面図である。
【発明を実施するための形態】
【００１３】
以下、図面を参照して、本発明に従う、密封キャップを備えるブロー成形ボトルを詳細に説明する。
【００１４】
図１中、符号１は、本発明に従う、密封キャップであり、符号１０は、密封キャップ１を備える積層ブロー成形ボトルである。積層ブロー成形ボトル１０は、共押出しされた合成樹脂製の図示せぬ積層パリソンを用いて、内層体１１と外層体１２をそれぞれ、異材質の内層（例えば、ナイロン層）及び外層（例えば、ＰＰ（ポリプロピレン）層）として、一体にダイレクトブロー成形してなる。内層体１１は、外層体の内側に剥離可能に密着し、その内側に、内容液の充填空間Ｓを形成する。積層ブロー成形ボトル１０の口筒部１２ａには、後述するトリガー式ポンプ２０を取り外し可能に装着することができる。また、口筒部１２ａには、内層体１１と外層体１２との間に外気を導入するための開口部１２ｂが形成されている。また、内層体１１の底部と外層体１２の底部は、ブロー成形にあたりピンチオフされているところ、図２に示すように、外層体１２の底部において、ピンチオフ部分に割れ目１２ｃを形成し、この割れ目１２ｃを内層体１１と外層体１２との間に外気を導入するための開口部とすることもできる。
【００１５】
一方、密封キャップ１は、図３に示すように、積層ブロー成形ボトル１０に固定される中栓１Ａと、この中栓１Ａを取り外し可能に密封する密封栓１Ｂを備える。
【００１６】
中栓１Ａは、口筒部１２ａの上端部分に固定される固定リング部２を有する。固定リング部２は、口筒部１２ａを取り囲む外周壁２ａと、この口筒部１２ａに天壁２ｂを介して間隔を置いて一体に繋がる内周壁２ｃを有し、外周壁２ａと内周壁２ｃとの間に形成された環状溝に、口筒部１２ａの上端部分に取り付けられる。固定リング部２は、口筒部１２ａとの間を密封保持するシール部として機能する。
【００１７】
また、中栓１Ａは、固定リング部２の内側に繋がり、内層体１１の内側（充填空間Ｓ）に向かって突出する隔壁３を有する。本実施形態では、隔壁３は、固定リング部の内周壁２ｃに繋がり、充填空間Ｓに向かって縮径する先細りの傾斜壁３ａと、この傾斜壁３ａと一体に繋がる円筒壁３ｂと、この円筒壁３ｂの下端を閉じる底壁３ｃで構成されている。
【００１８】
さらに、中栓１Ａは、隔壁３から一体に起立する筒体部４を有する。筒体部４には、貫通孔４ａが形成されている。貫通孔４ａは、筒体部４が起立する底壁３ｃを通して、充填空間Ｓに通じる。加えて、中栓１Ａは、隔壁３に、筒体部４に通じる装着筒５が設けられている。装着筒５には、充填空間Ｓに向かって伸びるパイプ６が装着されている。パイプ６の内側には、充填空間Ｓを貫通孔４ａに通じさせる流路６ａが形成されている。
【００１９】
一方、密封栓１Ｂは、フランジ部７から一体に突出して筒体部４の先端開口部に取り外し可能に嵌合する栓体８と、この栓体８を取り囲むように突出して栓体８との間で筒体部４を密封保持する環状筒９を有する。フランジ部７には、栓体８及び環状筒９を取り囲むように、Ｃ字形の切り欠き部７ａを形成し、栓体８に連結片７ｂを介してプルリング７ｃが一体に設けられている。これにより、使用者は、プルリング７ｃに指を引っ掛けて引き上げれば、図４に示すように、筒体部４の先端開口部から密封栓１Ｂを取り除くことができる。
【００２０】
次に、密封キャップ１の作用及び効果を説明する。
【００２１】
図４は、トリガー式ポンプ２０により、内容物を使い切った後の中栓１Ａを備える積層ブロー成形ボトル１０である。内容物を使いきった後は、同図に示すように、内層体１１が収縮することで、内容物の詰め替え等は困難である。しかも、中栓１Ａは、口筒部１２ａに固定される隔壁３から筒体部４を起立させ、その内側に形成された通路４ａを充填空間Ｓに通じさせることで、内層体１１に充填された内容物の流路面積（貫通孔４ａの内径Φ4）が、中栓１Ａを固定しないときの流路面積（内層体１１の口筒部における内径Φ10）に比べて小さくなる。このため、口筒部１２ａに中栓１Ａを固定しておけば、内容物を再充填するときに、内層体１１の充填空間Ｓ内と外界との空気置換が困難になる。従って、密封キャップ１によれば、密封栓１Ｂを取り除いて内容物を使い切った後の詰め替え等を防止することができる。また、同様に、こうした密封キャップ１を備える積層ブロー成形ボトル１０も、使い切った後の内容物の詰め替え等を防止することができる。さらに、詰め替える行為を未然に防げることにより、容器口部から内容物が溢れて周囲を汚してしまう危険性を回避できると共に、別の種類の内容物が注ぎ込まれることによる残液との混ざり合いも防げるので、品質劣化やポンプ作動不良等を回避することができる。
【００２２】
加えて、中栓１Ａから筒体部４を起立させたことで、この筒体部４をアダプタとして、例えば、図１に示すような、ユニット化されたトリガー式ポンプ２０を、そのまま装着することができる。
【００２３】
図１のトリガー式ポンプ２０は、インテーク２１を有したボディ２２に、シリンダ２３を形成するとともに、このシリンダ２３にピストン２４を配置し、さらに、このシリンダ２３及びピストン２４で形成されるポンプ室Ｒの吸入側と排出側にそれぞれ、吸入弁２５及び排出弁２６を配置するとともに、牽曳及びその復帰の可能なトリガー２７を設ける。トリガー式ポンプ２０は、トリガー２７の牽曳及びその復帰の繰り返しによりピストン２４を動作させることにより、インテーク２１からの内容物を吸引、加圧及び圧送して、ノズル２８より噴霧させることができる。
【００２４】
トリガー式ポンプ２０は、装着筒２９を介して、積層ブロー成形ボトル１０の口筒部１２ａに取り外し可能に螺合させることができる。また、インテーク２１は、ジョイントパーツとして構成されている。インテーク２１の入力端２１ａは、筒体部４をアダプタとして、この筒体部４に対して密封状態に嵌合させることができる。このように、本発明に従う、密封キャップ１によれば、中栓１Ａから筒体部４を起立させたことで、ユニット化されたトリガー式ポンプ２０を取り付けることができる。なお、トリガー式ポンプ２０は、一例であって、ヘッドの押下げ及びその復帰の繰り返しによりポンプ動作を生起させる、所謂、押下げヘッド式ポンプやスプレーなどについても、吸入口を有する部材をジョイントパーツとしてユニット化すれば、同様に取り付けることができる。
【００２５】
上述したところは、本発明の様々な実施形態であるが、本発明に従えば、様々な変更が可能となる。例えば、口筒部１２ａは螺合させる構成に限定されることなく、例えば、アンダーカット嵌合等の凹凸嵌合によって打栓させる構成のものを含む。また、積層ブロー成形ボトル１０は、上述のとおり、口筒部１２ａに形成した開口部１２ｂより、内層体１１と外層体１２との間に外気を導入できる。このため、中間体としての積層プリフォームを用いて内層体１１と外層体１２をそれぞれ、異材質の内層（例えば、ＰＰ（ポリプロピレン））及び外層（ＰＥＴ（ポリエチレンテレフタレート）層として、一体に二軸延伸ブローすることもできる。二重容器としては、本実施形態のように、内層体と外層体をそれぞれ、内層及び外層として、一体にブロー成形してなる二重容器の他、内層体と外層体を別体として組み付けた二重容器も採用できる。さらに、内層体（内層）１１は、単層体（単層）に限定されることなく、積層体（積層）として構成することもできる。
【産業上の利用可能性】
【００２６】
本発明は、内容物の取出しに応じて収縮する内層体と、内層体を収納する外層体からなる二重容器であれば様々な物に採用することができる。
【符号の説明】
【００２７】
１      密封キャップ
１Ａ    中栓
１Ｂ    密封栓
２      固定リング部
３      隔壁
４      筒体部
４ａ    貫通孔
５      パイプ用装着筒
６      パイプ
６ａ    流路
７      フランジ部
７ａ    切り欠き部
７ｂ    連結片
７ｃ    プルリング
８      栓体
９      環状筒
１０    積層ブロー成形ボトル（二重容器）
１１    内層体（内層）
１２    外層体（外層）
１２ａ  口筒部
１２ｂ  開口部（外気導入孔）
１２ｃ  割れ目（外気導入孔）
２０    トリガー式ポンプ
２１    インテーク
２２    ボディ
２３    シリンダ
２４    ピストン
２５    吸入弁
２６    排出弁
２７    トリガー
２８    ノズル
２９    装着筒
Ｓ      充填空間
【図１】
2014069871.tif 000003
【図２】
2014069871.tif 000004
【図３】
2014069871.tif 000005
【図４】
2014069871.tif 000006